(57)【要約】【課題】土壌への悪影響の少ない園芸用結束機を提供する。【解決手段】メインハンドル５の先端部に超音波振動部２６を配設するとともに、昇降アーム６の先端部の、前記超音波振動部２６と対向する位置にアンビル２０を配設し、さらに、超音波振動部２６へ高周波の電気信号を送信する発振装置３と、該発振装置３に前記電気信号を送信させるための作動スイッチ２９を配設する。かかる構成によれば、被結束体Ｐを囲繞する結束テープ１０の両端部を超音波振動部２６とアンビル２０で挟持して、超音波振動部２６を振動させれば、結束テープ１０の両端部が溶着されて、ステープルを用いることなく被結束体Ｐを結束することができる。【選択図】図２
0003127222.tif 000002
【実用新案登録請求の範囲】
【請求項１】
テープ送出部を先端部に備えるメインハンドルと、テープ把持機構を先端部に備え前記メインハンドルに回動自在に配設される昇降アームとを具備してなり、
先端部間に結束テープを架け渡したメインハンドルと昇降アームとの間に被結束体を収容し、被結束体を囲繞する結束テープの両端部を結着させる園芸用結束機において、
メインハンドル又は昇降アームの先端部の一方に設けられた超音波振動部と、
昇降アーム又はメインハンドルの先端部の他方に設けられ、前記超音波振動部の先端と対向する位置に配置されたアンビルと、
前記超音波振動部と接続されて、該超音波振動部へ高周波の電気信号を送信する発振装置と、
該発振装置に前記電気信号を送信させるための作動スイッチと
を備えてなり、
超音波振動部とアンビルとの間に、被結束体を囲繞する結束テープの両端部を挟持して、当該状態で超音波振動部を振動させることにより結束テープを当該部分で溶着することを特徴とする園芸用結束機。
【請求項２】
メインハンドルにアンビルが配設され、昇降アームに超音波振動部が配設されており、
メインハンドルは、先端部にテープ切断刃が配設されたベースフレームと、先端部に配設されたアンビルを、前記テープ切断刃に対して離近移動可能となるようにベースフレームに保持されるアンビル保持フレームとを備えてなり、
前記アンビル保持フレームは、アンビルがテープ切断刃から離れる方向に付勢され、  超音波振動部とアンビルの間に結束テープの両端部を挟持した状態から、超音波振動部を強くアンビルに押し付けると、アンビル保持フレームが付勢力に抗してアンビルをテープ切断刃に近づける方向に移動して、挟持部位の近傍位置で結束テープがテープ切断刃によって切断されることを特徴とする請求項１記載の園芸用結束機。
【請求項３】
前記作動スイッチは、ベースフレームとアンビル保持フレームのいずれか一方に配設されて、アンビル保持フレームがアンビルをテープ切断刃に近づける方向に移動するのを検知する有接点スイッチであり、
前記発振装置は、作動スイッチが前記移動を検知すると、超音波振動部へ高周波の電気信号を所定時間送信するものであることを特徴とする請求項２記載の園芸用結束機。
【考案の詳細な説明】
【技術分野】
【０００１】
本考案は、植物の蔓や枝を支柱や棚に沿わせるために、両者を結束テープで結束する園芸用結束機に関する。
【背景技術】
【０００２】
従来、テープ送出部を先端部に備えるメインハンドルと、テープ把持機構を先端部に備え前記メインハンドルに回動自在に配設される昇降アームとを具備し、先端部間に結束テープを架け渡したメインハンドルと昇降アームとの間に被結束体を収容し、被結束体を囲繞する結束テープの両端部を結着させることにより被結束体を結束する園芸用結束機が知られている（特許文献１，２参照）。
【０００３】
図６に、従来の園芸用結束機１ａを示す。かかる園芸用結束機１ａには、一端部が該メインハンドル５ａと係合し、中間部が該昇降アーム６ａに回動自在に設けられ、他端部に把持部１５を有する作動レバー９が設けられている。昇降アーム６ａは、バネ３４によってメインハンドル５ａから離間する方向に付勢されており、作動レバー９を把持すると、昇降アーム６ａがメインハンドル５ａに接近するようになっている。
【０００４】
メインハンドル５ａの後部には、巻回された結束テープ１０を収容するテープマガジン８が配設される。テープマガジン８内から引き出された結束テープ１０は、メインハンドル５ａの上部に設けられたテープ案内台７を通って、メインハンドル５ａ先端部のテープ送出部１４へと案内され、さらに、昇降アーム６ａの先端部に設けられたテープ把持機構１３によって引き出され、メインハンドル５ａと昇降アーム６ａとの間に架け渡される。
【０００５】
かかる園芸用結束機１ａはステープルによって結束テープ１０を結着させる。すなわち、メインハンドル５ａの下部にステープルマガジン３２が配設されるとともに、該ステープルマガジン３２の先端位置にステープルを射出するステープル射出機構（図示省略）が設けられ、さらに、昇降アーム６ａの先端には、該ステープル射出機構と対向する位置にクリンチャ３３が設けられている。かかる構成にあっては、メインハンドル５ａと昇降アーム６ａとの間に架け渡された結束テープ１０の外側面に、支柱等を隣接させた農作物の苗木や枝等の被結束体をあてがい、メインハンドル５ａと昇降アーム６ａの間の被結束体収容部Ａに収容し、昇降アーム６ａの先端をメインハンドル５ａの先端に押し付けると、被結束体が結束テープ１０で囲まれて、且つ、結束テープ１０がステープルによって綴られて、さらに、テープ切断刃１２によって、被結束体を括ったループ状の結束テープ１０が適宜位置で切断される。
【０００６】
【特許文献１】特開２００３−２００００６号公報
【特許文献２】特開２００４−２２２５２０号公報
【考案の開示】
【考案が解決しようとする課題】
【０００７】
ところで、近年環境問題が活発になるにつれて、園芸用結束機の結束テープも光分解性のものや、生分解性のものが好んで用いられるようになっている。
【０００８】
しかしながら、上述のように、従来の園芸用結束機は、結束テープをステープルによって結着するものである。ステープルはスチール等よりなるものであるから、結束テープが分解されたとしても、ステープルは分解されずに、畑等の土壌にそのまま滞留することとなる。
【０００９】
本考案はかかる問題の解決を試みたものであり、土壌への悪影響の少ない園芸用結束機の提供を目的とする。
【課題を解決するための手段】
【００１０】
本考案はテープ送出部を先端部に備えるメインハンドルと、テープ把持機構を先端部に備え前記メインハンドルに回動自在に配設される昇降アームとを具備してなり、先端部間に結束テープを架け渡したメインハンドルと昇降アームとの間に被結束体を収容し、被結束体を囲繞する結束テープの両端部を結着させる園芸用結束機において、メインハンドル又は昇降アームの先端部の一方に設けられた超音波振動部と、昇降アーム又はメインハンドルの先端部の他方に設けられ、前記超音波振動部の先端と対向する位置に配置されたアンビルと、前記超音波振動部と接続されて、該超音波振動部へ高周波の電気信号を送信する発振装置と、該発振装置に前記電気信号を送信させるための作動スイッチとを備えてなり、超音波振動部とアンビルとの間に、被結束体を囲繞する結束テープの両端部を挟持して、当該状態で超音波振動部を振動させることにより結束テープを当該部分で溶着することを特徴とする園芸用結束機である。
【００１１】
かかる構成によれば、被結束体の周囲を囲む結束テープが超音波溶着によって両端部で結着されることとなる。すなわち、本考案の園芸用結束機は、ステープル無しで、結束テープのみで被結束体を結束することができる。
【００１２】
本考案の園芸用結束機は、熱可塑性の結束テープを溶着することができる。園芸用結束機の結束テープの多くは、熱可塑性樹脂によりなるものであるから、本考案の園芸用結束機は、従来の結束テープの殆どを好適に溶着できる。熱可塑性の結束テープであれば、ステープルを用いた場合と同等の力で結束テープを結着することができる。
【００１３】
また、本考案の園芸用結束機にあっては、結束テープが生分解性又は光分解性であることが望ましい。かかる場合には、被結束体から結束テープを剥がした際に、結束テープを土壌等に同化させることができる。上記のように本考案の園芸用結束機は、ステープル等を用いないため、分解されずに残る残留物は生じない。
【００１４】
本考案の園芸用結束機において、発振装置は、メインハンドルや昇降アーム等に一体的に組み付けるのではなく、別体として設け、電気ケーブルを介して結束機本体と接続することが望ましい。既存の発振装置は、比較的重量であるため、メインハンドル等と一体化すると、作業性が低下し易いためである。なお、超音波振動部やアンビルは軽量であるから、従来の園芸用結束機に配設しても作業性が低下するおそれはない。また、超音波振動部やアンビルは小型であるから、従来の園芸用結束機の基本設計を殆ど変更することなく、ステープルマガジンやクリンチャに替えて、超音波振動部やアンビルを配設することが可能である。すなわち、本考案は、上述した従来の園芸用結束機１ａ（図６参照）の基本構成を、そのまま利用できる。
【００１５】
発振装置と作動スイッチの作動機構は特に限定されないが、例えば、ハンドルとアームが挟み込んだ状態で作動する有接点スイッチなどが望ましい。かかる作動スイッチがＯＮとなった場合に、発振装置が高周波の電気信号を超音波振動部に所定時間送信し、超音波振動部が所定時間振動するようにすることが望ましい。
【００１６】
本考案の園芸用結束機にあっては、メインハンドルにアンビルが配設され、昇降アームに超音波振動部が配設されており、メインハンドルは、先端部にテープ切断刃が配設されたベースフレームと、先端部に配設されたアンビルを、前記テープ切断刃に対して離近移動可能となるようにベースフレームに保持されるアンビル保持フレームとを備えてなり、前記アンビル保持フレームは、アンビルがテープ切断刃から離れる方向に付勢され、超音波振動部とアンビルの間に結束テープの両端部を挟持した状態から、超音波振動部を強くアンビルに押し付けると、アンビル保持フレームが付勢力に抗してアンビルをテープ切断刃に近づける方向に移動して、挟持部位の近傍位置で結束テープがテープ切断刃によって切断される構成が提案される。
【００１７】
かかる構成では、超音波振動部とアンビルによって結束テープを挟持した後に、該挟持動作と一連の動きによって結束テープを切断することができる。すなわち、本構成によれば、単純な操作によって、適切なタイミングで結束テープを切断可能となる。
【００１８】
上記ベースフレームとアンビル保持フレームを備える構成において、さらに、前記作動スイッチは、ベースフレームとアンビル保持フレームのいずれか一方に配設されて、アンビル保持フレームがアンビルをテープ切断刃に近づける方向に移動するのを検知する有接点スイッチであり、前記発振装置は、作動スイッチが前記移動を検知すると、超音波振動部へ高周波の電気信号を所定時間送信するものである構成が提案される。
【００１９】
かかる構成にあっては、上記結束テープを切断する動作に合わせて超音波振動部が自動的に振動することとなる。すなわち、本構成によれば、作業者が作動スイッチを操作することなく、超音波振動部を常に適切なタイミングで振動させることができる。
【考案の効果】
【００２０】
以上のように、本考案の園芸用結束機によれば、ステープル等を用いずに結束テープのみで被結束体を結束できるため、土壌への悪影響が少ないという利点がある。また、結束テープをステープルで結着する従来構成では、被結束体から結束テープを取り外す際に、結束テープとステープルとを分別して捨てなければならないが、本考案では、そのような手間が要らない。また、ステープルを用いる従来の園芸用結束機では、定期的にステープルを補充する手間が生じるが、本考案の園芸用結束機によれば、かかる手間を省くことができる。また、超音波溶着によれば、ステープルを用いて結束した場合と同程度の結束力を実現できる。一般的に、粘着テープで結着する場合は、結着力が弱く、結束作業も煩雑となるが、本考案ではそのような問題は生じない。
【考案を実施するための最良の形態】
【００２１】
本考案の実施形態を、以下の実施例に従って説明する。
【００２２】
図１は、本実施例の園芸用結束機１の概略図である。園芸用結束機１は、メインハンドル５や昇降アーム６等を組み付けてなる結束機本体２と、該結束機本体２と電気ケーブル４を介して接続される発振装置３とで構成される。
【００２３】
結束機本体２は、従来の園芸用結束機のステープルマガジンやクラッチャ等に替えて、超音波振動部やアンビル等を設けたものであり、基本構成は、図６に示した従来の園芸用結束機１ａと略同じである。なお、上記園芸用結束機１ａと構成の共通する部分は同一符号を付してある。結束機本体２は、図２に示すように、テープ送出部１４を先端部に備えるメインハンドル５と、テープ把持機構１３を先端部に備え、該メインハンドル５に回動自在に配設される昇降アーム６と、一端部が該メインハンドル５と係合し、中間部が該昇降アーム６に回動自在に設けられ、他端部に把持部１５を有する作動レバー９とを具備してなる。昇降アーム６は、バネ３４によって、先端部をメインハンドル５から離間させる方向に付勢されており、作動レバー９の把持部１５を握ると昇降アーム６とメインハンドル５の先端部が接近するようになっている。
【００２４】
図２に示すように、メインハンドル５は、前後に長尺な金属製のベースフレーム１８と、ベースフレーム１８の後部に軸支されてベースフレーム１８の直下で上下に微傾動可能に配設される、前後に長尺な金属製のアンビル保持フレーム１９とを備えてなる。アンビル保持フレーム１９の先端側下底面には、金属製のアンビル２０が固定される。このアンビル２０は、後述のホーン２８の先端と対向する位置に配置されており、作動レバー９を握った際に、アンビル２０の下底面にホーン２８の先端が当接するようになっている。また、アンビル保持フレーム１９は、ベースフレーム１８に対して上下に微傾動可能に保持されるとともに、図示しないバネによって下側に付勢されており、アンビル２０の下底面が後述のホーン２８によって強く押圧されると、バネの付勢力に抗してアンビル保持フレーム１９が上方傾動し、ベースフレーム１８寄りに移動するようになっている。
【００２５】
また、ベースフレーム１８の上部には樹脂製のテープ案内台７が配設され、ベースフレーム１８の後部にはロール状の結束テープ１０を収容するテープマガジン８が配設される。テープマガジン８内から引き出された結束テープ１０は、テープ案内台７の内部を通ってメインハンドル５先端のテープ送出部１４へと案内される。テープ送出部１４は、ベースフレーム１８とアンビル保持フレーム１９の先端の間に形成されるスリット上の間隙であり、テープ案内台７によってテープ送出部１４に案内される結束テープ１０は、メインハンドル５の先端から下方に送り出されることとなる。
【００２６】
また、ベースフレーム１８の先端部には、結束テープ１０を切断するためのテープ切断刃１２が設けられる。このテープ切断刃１２は、その刃を下に向けるように配置されている。アンビル２０は、通常は、テープ切断刃１２の後下方に位置しているが、アンビル保持フレーム１９が上方傾動するとテープ切断刃１２の直後方位置へと接近するようになっている。かかる構成によれば、アンビル２０をテープ切断刃１２に接近させることにより、アンビル２０とホーン２８に挟持された結束テープ１０を、挟持部位の直前方で切断することができる（図４（ｆ）参照）。
【００２７】
図３に示すように、昇降アーム６の先端部に配設されるテープ把持機構１３は、先端に鉤状突起部を有するピッキングプレート２２や、プッシュプレート２３、テープ保持プレート２４などにより構成される。ピッキングプレート２２は前後に回動可能となっており、鉤状突起部をテープ保持プレート２４と当接する後方の把持位置αに付勢されるとともに、図示しないカム機構によってテープ保持プレート２４の前方に退避する退避位置βでロック可能となっている。プッシュプレート２３は、前記カム機構を介してピッキングプレート２２と連通しており、また、前記ベースフレーム１８の先端部と対向する位置に設けられている。このプッシュプレート２３がベースフレーム１８によって軽く押し下げられると、ピッキングプレート２２のロックが解除され、付勢力によってピッキングプレート２２が把持位置αに回動する。プッシュプレート２３がさらに押し下げられると、カム機構によってピッキングプレート２２が前方へ回動し、退避位置βでロックされる。なお、本実施例の園芸用結束機１にあっては、かかるテープ把持機構１３や、テープマガジン８、テープ案内台７などの構成は、従来の園芸用結束機の構成をそのまま用い得るため、詳細な説明は省略する。
【００２８】
超音波振動部２６は、昇降アーム６の、テープ把持機構１３直後方位置に配設される。この超音波振動部２６は、超音波振動子を内蔵する円柱部２７と、該円柱部２７の上部に配設され、上方に縮径するホーン２８とからなる。超音波振動部２６は、ホーン２８の先端と前記アンビル２０との間で、結束テープ１０を把持できるように配置される。円柱部２７の超音波振動子は電気ケーブル４を介して前記発振装置３へと接続されており、発振装置３から高周波の電気信号が入力されると円柱部２７が超音波振動する。円柱部２７の超音波振動はホーン２８によって増幅されて、ホーン２８の先端に伝達される。
【００２９】
図２に示すように、ベースフレーム１８の一側面には、発振装置３を作動させるための押ボタン型の作動スイッチ２９が設けられる。作動スイッチ２９は、電気ケーブル４を介して前記発振装置３へと接続されている。発振装置３は、作動スイッチ２９が一回押圧されるたびに所定時間の電気信号を超音波振動部２６へ送信する。
【００３０】
結束作業は、メインハンドル５と作動レバー９を握って、メインハンドル５の先端部に対して昇降アーム６の先端部を離近させることによって行う。まず、図３（ａ）に示す初期状態から、昇降アーム６の先端部を接近させて、プッシュプレート２３をベースフレーム１８の先端部に当接し、プッシュプレート２３を軽く押し下げる（図３（ｂ）参照）。これにより、ピッキングプレート２２が把持位置αへ回動し、ピッキングプレート２２の鉤状突起部が結束テープ１０の先端部に突き刺さり、ピッキングプレート２２とテープ保持プレート２４とによって結束テープ１０の先端部が係止される。なお、かかる状態では、アンビル２０とホーン２８は軽く触れる程度であり、アンビル保持フレーム１９は殆ど傾動しない。そして、かかる状態から作動レバー９を緩めて昇降アーム６の先端部を離間させると、図３（ｃ）に示すように、結束テープ１０の先端がピッキングプレート２２に引っ張られてテープ送出部１４から引き出され、メインハンドル５と昇降アーム６の先端部の間に結束テープ１０が架け渡された状態となる。そして、かかる状態で、架け渡された結束テープ１０に被結束体Ｐ（農作物の枝や支柱など）をあてがって、メインハンドル５と昇降アーム６の間の被結束体収容部Ａへ押し込むと、図４（ｄ）に示すように、被結束体Ｐが、被結束体収容部Ａ内で結束テープ１０に囲繞されることとなる。
【００３１】
そして、上記状態から再び昇降アーム６の先端部を接近させると、図４（ｅ）に示すように、被結束体Ｐ周囲の結束テープ１０の両端部が、ホーン２８の先端とアンビル２０との間に挟持される。かかる挟持状態で前記作動スイッチ２９を押せば、超音波振動部２６が所定時間振動し、ホーン２８とアンビル２０との間で挟持された結束テープ１０が溶着されることとなる。
【００３２】
そして、ホーン２８とアンビル２０に結束テープ１０が挟持された状態で、さらに作動レバー９を強く握ると、図４（ｆ）に示すように、アンビル保持フレーム１９が付勢力に抗して上方傾動してベースフレーム１８に接近する。これにより、アンビル２０がテープ切断刃１２に接近して、挟持部位（溶着部位）の直前方位置で結束テープ１０が切断される。また、これとともに、プッシュプレート２３が深く押し込まれ、ピッキングプレート２２が把持位置αから前方回動して退避位置βでロックされることとなる。そして、かかる状態から作動レバー９を緩めて、昇降アーム６の先端部を離間させれば、上記初期状態（図３（ａ）参照）となり、結束テープ１０で結束された被結束体Ｐを被結束体収容部Ａから抜き取り可能となる。
【００３３】
このように、本実施例の園芸用結束機１によれば、ステープルを用いることなく、結束テープのみによって被結束体を結束することができるため、土壌への悪影響が少ない。また、結束テープは溶着によって結着するため、十分な結着力が得られる。また、従来構成のテープ切断刃やテープ把持機構とも不具合なく調和できる。
【００３４】
なお、本考案における園芸用結束機は、上記実施例の形態に限らず本考案の要旨を逸脱しない範囲内において種々変更を加えることができる。
【００３５】
例えば、実施例では、作業者が作動スイッチ２９を手動で押圧操作することによって超音波振動部２６が振動するようになっているが、作動スイッチの構成は適宜変更可能である。図５に、上記実施例から作動スイッチの構成を変更した変形例を示す。変形例の作動スイッチ２９ａは、ベースフレーム１８の内側に配設される有接点スイッチで構成される。この作動スイッチ２９ａは、図５（ａ）に示すように、アンビル保持フレーム１９が下方に付勢されている状態でＯＦＦとなり、図５（ｂ）に示すように、アンビル保持フレーム１９が上方傾動した状態で、該アンビル保持フレーム１９と当接することによりＯＮとなる。そして、作動スイッチ２９ａは、上記実施例と同様に、発振装置３に接続されており、作動スイッチ２９ａがＯＮとなると、発振装置３から超音波振動部２６へ所定時間の電気信号が送信される。かかる変形例によれば、ホーン２８とアンビル２０との間に結束テープ１０を挟持した状態から、ホーン２８をアンビル２０に強く押し付けて、アンビル保持フレーム１９を上方傾動させれば、作動スイッチ２９ａが作動して結束テープ１０が溶着されることとなる。すなわち、かかる構成では、作業者は作動スイッチを直接操作することなく、結束テープ１０を挟持した状態から作動レバー９を強く握るだけで該結束テープ１０を溶着できる。
【００３６】
また、本考案の園芸用結束機においては、超音波振動部をメインハンドル側に配設し、アンビルを昇降アーム側に配設するようにしてもよい。また、発振装置を、結束機本体と一体化して設けるようにしてもよい。
【図面の簡単な説明】
【００３７】
【図１】園芸用結束機１の概略図である。
【図２】結束機本体２の側面図である。
【図３】結束作業手順を示す説明図である。
【図４】図３から続く結束作業手順を示す説明図である。
【図５】変形例の作動スイッチ２９ａの作動態様を示す説明図である。
【図６】従来の結束機１ａの側面図である。
【符号の説明】
【００３８】
１  園芸用結束機
２  結束機本体
３  発振装置
５  メインハンドル
６  昇降アーム
７  テープ案内台
８  テープマガジン
９  作動レバー
１０  結束テープ
１２  テープ切断刃
１３  テープ把持機構
１４  テープ送出部
１８  ベースフレーム
１９  アンビル保持フレーム
２０  アンビル
２２  ピッキングプレート
２３  プッシュプレート
２６  超音波振動部
２８  ホーン
２９  作動スイッチ
Ａ  被結束体収容部
Ｐ  被結束体
【図１】
0003127222.tif 000003
【図２】
0003127222.tif 000004
【図３】
0003127222.tif 000005
【図４】
0003127222.tif 000006
【図５】
0003127222.tif 000007
【図６】
0003127222.tif 000008